(57)【要約】      （修正有）【課題】無線通信機能を有する電子装置を提供する。【解決手段】本考案の電子装置は、操作本体と、フレーム１２と、アンテナ１３とを備える。フレームにより操作本体の側端が被覆される。アンテナ１３はフレーム１２に内設され、接続部材により操作本体に電気的に接続され、無線通信機能を提供する。アンテナ１３が操作本体の外に設置されることで、本体内部の干渉源が遠隔操作できるようになり、これにより無線通信効率が向上し、且つ本体内部の空間設計が節約され、本体の衝突防止及び落下保護機能の操作を提供する。【選択図】図４
0003204809.tif 000002
【実用新案登録請求の範囲】
【請求項１】
操作本体と、
前記操作本体の一側端を被覆させるフレームと、
前記フレームに内設されると共に一部分が前記フレームに露出され、前記操作本体に電気的に接続されて無線通信機能を提供するアンテナとを備え、
ここでは、前記操作本体の内部には無線通信干渉源を有し、或いは前記操作本体のケース体は金属材質を含むことを特徴とする電子装置。
【請求項２】
前記操作本体は、
前記画面の表示に用いられると共にタッチ制御方式によりタッチ制御命令の入力を行うタッチスクリーンと、
前記タッチスクリーンを被覆させ、且つ前記側端に設置される結合部を有するリアカバーとを備えることを特徴とする、請求項１に記載の電子装置。
【請求項３】
前記結合部の形状は前記フレームの部分的な構造と相互に補完し合い、前記フレームに結合されることを特徴とする、請求項２に記載の電子装置。
【請求項４】
前記操作本体は、前記リアカバーの内部に設置されると共に前記タッチスクリーンに電気的に接続され、前記リアカバーの外に延出されて前記アンテナに電気的に接続される接続部材を更に備えることを特徴とする、請求項２に記載の電子装置。
【請求項５】
前記接続部材は、
前記リアカバーの外に延出され、前記アンテナに電気的に接続される弾性ピンと、
前記リアカバーの内部に設置されると共に前記弾性ピンに電気的に接続される回路基板と、
前記回路基板及び前記タッチスクリーンにそれぞれ電気的に接続され、前記弾性ピン及び前記タッチスクリーンとの電気的な接続を確立させるための接続用線とを備えることを特徴とする、請求項４に記載の電子装置。
【請求項６】
前記接続部材は接続用線であることを特徴とする、請求項４に記載の電子装置。
【請求項７】
前記リアカバーはプラスチック材料或いは金属材料で製造されることを特徴とする、請求項２に記載の電子装置。
【請求項８】
前記フレームは衝突防止絶縁材料で製造されることを特徴とする、請求項１に記載の電子装置。
【請求項９】
前記アンテナはインサート成形技術により前記フレームに内設されることを特徴とする、請求項１に記載の電子装置。
【請求項１０】
前記フレームの内側に設置され、前記アンテナが収納される前記フレームは収納溝を有することを特徴とする、請求項１に記載の電子装置。
【請求項１１】
前記アンテナは粘着、吸着、固着、鋲着等の結合方式により前記フレームの内側に設置されることを特徴とする、請求項１に記載の電子装置。
【請求項１２】
前記アンテナは前記フレームの外側に設置されると共に前記フレームの外に延出されることを特徴とする、請求項１に記載の電子装置。
【考案の詳細な説明】
【技術分野】
【０００１】
本考案は、無線通信機能を有する電子装置に関する。
【背景技術】
【０００２】
科学技術の発展に伴い、市場には様々な通信機能を有する電子装置が溢れ出しており、その通信形態によって有線及び無線の２種類に分けられ、使用方式によって固定式及び携帯式(モバイル式)の２種類に分けられる。電子装置は薄く軽量なため携帯に便利であり、例えば、タブレット端末は液晶スクリーンを有し、且つ電子装置の前記スクリーンはタッチスクリーンであり、よって電子装置はタッチスクリーンにより命令の入力が行われて操作される。使用者が電子装置を操作して文字や符号を入力する場合、電子装置のタッチスクリーンにはバーチャルキーボードが表示され、使用者がバーチャルキーボードの各画像にタッチすることで対応する文字や符号が入力される。このため、電子装置をキーボード装置に接続させなくても文字や符号が直接入力可能になる。
【０００３】
そして、電子装置は、薄く軽量であるため携帯に便利であるという長所を有し、故に日常生活の中で広く応用されている。これらの携帯式電子装置は、限定されないが、タブレット端末、携帯電話、スマートフォン、トランシーバー、ノートパソコン、ナビゲーション装置及びモバイル販売時点情報管理装置等を含む。
【考案の概要】
【考案が解決しようとする課題】
【０００４】
しかしながら、前述した従来の技術では、即ち、電子装置にはタッチスクリーンが採用されるが、スクリーンが損壊した場合、電子装置の操作性に支障をきたした。このため、スクリーンの保護が非常に重要である。よって、市場には電子装置に適用される保護ケースが登場し、保護機能を提供した。
【０００５】
一方で、電子装置には無線伝送機能が必要である。故に、内部にアンテナが設置され、ＷＬＡＮ、ＷＷＡＮ或いはＧＰＳ等の無線伝送機能を提供した。電子装置の内部に複数の電子素子が設置されるため、電子装置の内部に様々な干渉源が形成されてしまい、アンテナの動作に影響を与えた。このため、電子装置の保護以外に、どのようにしてアンテナの動作効率を高めるかが解決を求められる問題であった。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、無線通信機能を有する電子装置を提供することを主目的とする。換言すれば、アンテナの動作効率を向上させる。
【課題を解決するための手段】
【０００８】
上述した課題を解決し、目的を達成するために、本考案に係る電子装置は、
操作本体と、前記操作本体の一側端を被覆させるフレームと、前記フレームに内設されると共に一部分が前記フレームに露出され、前記操作本体に電気的に接続されて無線通信機能を提供するアンテナとを備え、
ここでは、前記操作本体の内部には無線通信干渉源を有し、或いは前記操作本体のケース体は金属材質を含むことを特徴とする。
【０００９】
好ましい実施形態において、前記操作本体はタッチスクリーン及びリアカバーを備える。前記タッチスクリーンは前記画面の表示に用いられると共にタッチ制御方式によりタッチ制御命令の入力を行う。前記リアカバーは前記タッチスクリーンを被覆させると共に前記タッチスクリーンに電気的に接続され、且つ前記リアカバーは前記リアカバーの前記側端に設置される結合部を有する。
【００１０】
好ましい実施形態において、前記結合部の形状は前記フレームの部分的な構造と相互に補完し合い、前記フレームに結合される。
【００１１】
好ましい実施形態において、前記操作本体は、前記リアカバーの内部に設置されると共に前記タッチスクリーンに電気的に接続され、前記リアカバーの外に延出されて前記アンテナに電気的に接続される接続部材を更に備える。
【００１２】
好ましい実施形態において、前記接続部材は弾性ピンと、回路基板と、接続用線とを備える。前記弾性ピンは、前記リアカバーの外に延出され、前記アンテナに電気的に接続される。前記回路基板前記リアカバーの内部に設置されると共に前記弾性ピンに電気的に接続される。前記接続用線は前記回路基板及び前記タッチスクリーンにそれぞれ電気的に接続され、前記弾性ピン及び前記タッチスクリーンとの電気的な接続を確立させる。
【００１３】
好ましい実施形態において、前記接続部材は接続用線である。
【００１４】
好ましい実施形態において、前記リアカバーはプラスチック材料或いは金属材料で製造される。
【００１５】
好ましい実施形態において、前記フレームは衝突防止絶縁材料で製造される。 
【００１６】
好ましい実施形態において、前記アンテナはインサート成形技術により前記フレームに内設される。
【００１７】
好ましい実施形態において、前記フレームは、前記フレームの内側に設置され、前記アンテナが収納される収納溝を有する。
【００１８】
好ましい実施形態において、前記アンテナは粘着、吸着、固着、鋲着等の結合方式により前記フレームの内側に設置される。
【００１９】
好ましい実施形態において、前記電子装置は販売時点情報管理装置である。
【考案の効果】
【００２０】
本考案に係る電子装置は操作本体の保護のために、リアカバーの側端に軟質材料で製造されるフレームが設置され、リアカバーの側端が被覆されることで保護機能が形成される。電子装置が地面や硬い物の上に落下した場合、フレームにより衝撃力が吸収されて電子装置が損壊するのが回避される。また、本考案に係る電子装置は、アンテナがフレームに内設され、即ち、アンテナが操作本体の外に設置されるため、本体内部の干渉源が遠隔から操作され、操作本体の内部の空間設計が節約されるのみならず、アンテナの無線通信効率も向上する。
【図面の簡単な説明】
【００２１】
【図１】本考案の好ましい第１実施形態による電子装置を示す外観斜視図である。
【図２】本考案の好ましい第１実施形態による電子装置を他の角度から見た構成の概念図である。
【図３】本考案の好ましい第１実施形態による電子装置を示す部分構成の展開図である。
【図４】本考案の好ましい第１実施形態による電子装置を他の角度から見た部分構成の展開図である。
【図５】本考案の好ましい第１実施形態による電子装置のアンテナがフレームに結合される構成の概念図である。
【図６】本考案の好ましい第２実施形態による電子装置を示す部分構成の展開図である。
【図７】本考案の好ましい第２実施形態による電子装置を他の角度から見た構成の展開図である。
【考案を実施するための形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
[実施形態]
【００２３】
（第１実施形態）
図１は本考案の好ましい第１実施形態による電子装置を示す外観斜視図であり、図２は本考案の好ましい第１実施形態による電子装置を他の角度から見た構成の概念図である。電子装置１は、操作本体１１と、複数のフレーム１２と、アンテナ１３とを備え (図３参照)、操作本体１１には電子装置１の画面が表示され、複数のフレーム１２により操作本体１１の側端がそれぞれ被覆され、操作本体１１の保護機能を提供する。操作本体１１はタッチスクリーン１１１及びリアカバー１１２を含み、タッチスクリーン１１１には前記画面が表示されると共に使用者がタッチ制御方式によりタッチ制御命令の入力を行い、リアカバー１１２によりタッチスクリーン１１１が被覆される。好ましい本実施形態によると、電子装置１はタブレット端末であり、リアカバー１１２は硬質のプラスチック材料で製造されるが、これは硬質材料の例を示すのみであり、これに制限させるものではない。他の好ましい実施形態では、リアカバーが金属材料で製造されてもよい。
【００２４】
図３は本考案の好ましい第１実施形態による電子装置を示す部分構成の展開図であり、図４は本考案の好ましい第１実施形態による電子装置を他の角度から見た部分構成の展開図である。アンテナ１３は１つのフレーム１２に内設されると共に一部分が前記フレーム１２の外に露出され、操作本体１１のタッチスクリーン１１１に電気的に接続されて無線通信機能を提供する。リアカバー１１２はフレーム１２にそれぞれ対応される結合部１１２１を有し、且つ各結合部１１２１はリアカバー１１２の側端に設置される。結合部１１２１の形状はフレーム１２の内側の部分的な構造と相互に補完し合い、対応されるフレーム１２に結合される。本実施形態において、アンテナ１３の形状は板状であり、フレーム１２はゴム等の衝突防止絶縁材料等の軟質材料で製造され、結合部１１２１は陥没構造を呈するが、但しこれに限定されない。他の実施形態において、結合部がフレームに設置され、且つその形状がリアカバー１１２の側端の形状と相互に補完し合ってもよい。衝突防止絶縁材料は硬質材料に限定されず、ゴム等の軟質材料でもよい。ちなみに、本考案は、フレーム１２がゴム材料で製造されるものに限られず、事実上、フレーム１２は保護及び絶縁効果を有する各種の硬質及び軟質材料で製造されてもよい。
【００２５】
図３によると、操作本体１１は、リアカバー１１２の内部に設置されると共にタッチスクリーン１１１に電気的に接続される接続部材１１３を更に備え、リアカバー１１２の外に延出されると共にアンテナ１３に電気的に接続される。接続部材１１３は弾性ピン１１３１と、回路基板１１３２と、接続用線１１３３とを含み、弾性ピン１１３１はリアカバー１１２のリアカバー孔部１１２２を穿通させてリアカバー１１２の外に延出されると共に回路基板１１３２に電気的に接続され、アンテナ１３との電気的な接続に使用される。回路基板１１３２はリアカバー１１２の内部に設置されると共に弾性ピン１１３１に電気的に接続され、接続用線１１３３は回路基板１１３２及びタッチスクリーン１１１にそれぞれ電気的に接続され、弾性ピン１１３１及びタッチスクリーン１１１の間の電気的な接続を確立させる。好ましい本実施形態によれば、弾性ピン１１３１はＰｏｇｏ  ｐｉｎである。
【００２６】
このほか、図４はフレーム１２の内側の構造を図示する。フレーム１２は、フレーム１２の内側に設置され、アンテナ１３が収納される収納溝１２１を有する。即ち、アンテナ１３が収納溝１２１の中に収納される結合方式によりフレーム１２に結合されるが（図５参照）、但し、本考案はこれに制限されない。他の好ましい実施形態において、アンテナは粘着、吸着、固着、鋲着等の各種の結合方式によりフレームの内側に設置されてもよい。当然ながら、以下の好ましい方式も採用できる。上述の任意の２種類以上の方式が同時に実施され、即ち、粘着、吸着、固着、鋲着等の各種の方式が組み合わせられる結合方式によりアンテナが収納溝中に固定され、アンテナとフレームとの間の結合が強化される。
【００２７】
本考案では、以下の３点について説明が必要である。
（第一）；本考案に係る電子装置１の装設過程においては、先ず接続部材１１３がリアカバー１１２の内部に設置されると共にタッチスクリーン１１１に電気的に接続され、接続部材１１３の弾性ピン１１３１がリアカバー１１２の側端に延出される。次に、アンテナ１３と接続部材１１３との間が電気的に接続された後、アンテナ１３及びフレーム１２が結合され、最後にフレーム１２がリアカバー１１２の側端に装設される。或いは、以下の工程が採用されてもよい。接続部材１１３の設置が完成した後、先にアンテナ１３及びフレーム１２が結合され、その後にアンテナ１３と接続部材１１３との間が電気的に接続される。
【００２８】
（第二）：各フレーム１２はリアカバー１１２の一側端を被覆させるのに限られず、リアカバー１１２の少なくとも一側端を被覆させる。好ましい本実施形態では、フレーム１２の形状がコ字形を呈し、リアカバー１１２の短い一側端を完全に被覆させ、且つ部分的にリアカバー１１２の長い二側端を被覆させる。
【００２９】
（第三）：本考案に係る電子装置１は車両のナビゲーション或いは販売時点情報管理装置として使用される。
【００３０】
（第２実施形態）
また、本考案は、上述の好ましい実施形態とは異なる方式を有する好ましい第２実施形態を更に提供する。図６は本考案の好ましい第２実施形態による電子装置を示す部分構成の展開図であり、図７は本考案の好ましい第２実施形態による電子装置を他の角度から見た構成の展開図である。電子装置２は操作本体２１と、複数のフレーム２２と、アンテナ２３とを備え、操作本体２１はタッチスクリーン２１１と、リアカバー２１２と、接続部材２１３とを含む。電子装置２の大部分の構造は前述の好ましい第１実施形態の電子装置１と同じであるため、再述は省く。好ましい本実施形態に係る電子装置２と前述の好ましい第１実施形態との異なる点は、接続部材２１３の構造及びアンテナ２３とフレーム２２との結合方式である。
【００３１】
図６及び図７は好ましい本実施形態に係る接続部材２１３が、リアカバー２１２の内部に設置されると共にタッチスクリーン２１１に電気的に接続される接続用線であるのを図示する。また、接続部材２１３はリアカバー２１２のリアカバー孔部２１２２を穿通させてリアカバー２１２の外に延出され、フレーム２２に内設されるアンテナ２３に電気的に接続される。
【００３２】
アンテナ２３は、インサート成形技術によりフレーム２２の内部に設置され、且つアンテナ２３の一部分がフレーム２２の内側の外に露出され、接続部材２１３が露出されるアンテナ２３に電気的に接続される。図６によると、フレーム２２の外に露出されるアンテナ２３の部分は実線により表示され、フレーム２２に埋設されるアンテナの部分は破線により表示される。換言すれば、好ましい本実施形態に係る電子装置２の装設過程において、先ず接続部材２１３がリアカバー２１２の内部に設置されると共にタッチスクリーン２１１に電気的に接続され、接続部材２１３がリアカバー２１２の側端に延出される。また、インサート成形工程が実施されると、アンテナ２３がフレーム２２の内部に設置される。最後に、アンテナ２３と接続部材２１３との間の電気的な接続が完成した後、フレーム１２がリアカバー２１２の側端に装設される。
【００３３】
上述の各好ましい実施形態に基づくと、本考案に係る電子装置は、タッチスクリーンの保護のために、リアカバーの側端に軟質材料(例えば、ゴム材料)で製造されるフレームが設置され、リアカバーの側端が被覆されて保護機能が形成される。電子装置が地面或いは硬い物の上に落下すると、フレームにより衝撃力が吸収されて電子装置が損壊するのが回避される。また、本考案に係る電子装置はアンテナがフレームに内設され、即ち、アンテナが操作本体の外に設置されることで、操作本体のケース体が金属材質を含むために発信された信号が遮蔽されたり干渉される現象を克服させ、或いは本体内部の無線信号の干渉源(例えば、回路或いはチップの干渉)が遠隔操作されるため、フレームに内設されるアンテナが遠隔操作される本体の外部のアンテナとなる。
【００３４】
結論として、本考案に係る電子装置は、アンテナが操作本体の外に設置される構造のために、以下の長所を有する。
第一、電子装置の外形の設計問題を克服させ、操作本体の保護という長所を兼ね備える。
第二、操作本体の内部の空間設計を節約させ、有効的に運用され、或いは操作本体の体積が更に縮小される。
第三、アンテナにより本体内部の干渉源が遠隔操作されることで、信号の干渉問題が解決され、アンテナの無線通信効率が向上する。
【００３５】
従って、本明細書に開示された実施形態は、本考案を限定するものではなく、説明するためのものであり、このような実施形態によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００３６】
１、２  電子装置
１１、２１  操作本体
１２、２２  フレーム
１３、２３  アンテナ
１１１、２１１  タッチスクリーン
１１２、２１２  リアカバー
１１３、２１３  接続部材
１２１  収納溝
１１２１  結合部
１１２２  リアカバー孔部
１１３１  弾性ピン
１１３２  回路基板
１１３３  接続用線
【図１】
0003204809.tif 000003
【図２】
0003204809.tif 000004
【図３】
0003204809.tif 000005
【図４】
0003204809.tif 000006
【図５】
0003204809.tif 000007
【図６】
0003204809.tif 000008
【図７】
0003204809.tif 000009